(57)【要約】      （修正有）【課題】ドライバ工具を提供する。【解決手段】ドライバ軸３０に工具端３０１が設けられ、工具端の後端が延伸してネック部分３０２が設けられる。磁気部品４０にスライドスリーブ４１が設けられ、スライドスリーブの内部に、ドライバ軸の工具端を通す貫通部分４１１が設けられる。前端に磁気要素４２が固定設置され、後端に一側が開口の延伸片４１３が突設される。他に、延伸片に連結して、延伸片の開口を覆って閉じるカバー片４１４が設けられる。延伸片およびカバー片の内環状面に、ドライバ軸のネック部分に突出する突縁４１３２、４１４２を有し、突縁がドライバ軸のネック部分内でスライドを留める。これにより、磁気部品のスライドスリーブをドライバ軸の工具端に位置制限することを確実に保証して、磁気部品がドライバ軸から離脱するのを防止することができる。【選択図】図４
0003210412.tif 000002
【実用新案登録請求の範囲】
【請求項１】
ドライバ工具であって、
工具端が設けられ、該工具端の後端が延伸して外径が比較的小さいネック部分が設けられ、該ネック部分の前端に第１停止面が設けられ、後端に第２停止面が設けられるドライバ軸と；
スライドスリーブが設けられ、該スライドスリーブの内部に、内径が該ドライバ軸の工具端の外径より大きい貫通部分が設けられて、該ドライバ軸の工具端を通し、該スライドスリーブの前端に磁気要素が固定設置され、後端に一側が開口の延伸片が突設され、他に、該延伸片に連結して、該延伸片の開口を覆って閉じるカバー片が設けられ、該延伸片および該カバー片の内環状面に少なくとも１つの突縁を有し、該突縁が該ドライバ軸のネック部分の前、後端に位置する第１停止面と第２停止面との間に突出し、該突縁のスライドを該ドライバ軸のネック部分内に留める磁気部品と、を含むドライバ工具。
【請求項２】
該ドライバ軸の後端に六角柱状のスリーブ接続部分が設けられる、請求項１に記載のドライバ工具。
【請求項３】
該磁気部品のスライドスリーブがプラスチックで製造、成型される、請求項１に記載のドライバ工具。
【請求項４】
該磁気部品のスライドスリーブの前端に、該磁気要素を固定設置させる収容溝が設けられる、請求項１に記載のドライバ工具。
【請求項５】
該磁気部品のスライドスリーブの延伸片およびカバー片が、おおよそ半環状を呈する、請求項１に記載のドライバ工具。
【請求項６】
該磁気部品のスライドスリーブは、該延伸片および該カバー片の１つの側縁が一体に連結し、弾性的に折れ曲がる連結片が設けられる、請求項１に記載のドライバ工具。
【請求項７】
該磁気部品のスライドスリーブは、該延伸片のもう１つの側縁に締結部を有し、該カバー片のもう１つの側縁に、該延伸片の締結部と相互に締結する結合部を有する、請求項６に記載のドライバ工具。
【請求項８】
該磁気部品のスライドスリーブは、該延伸片の内環状面に少なくとも１つの第１突縁が突設され、該カバー片の内環状面に該第１突縁と対応する第２突縁が突設される、請求項１に記載のドライバ工具。
【請求項９】
該スライドスリーブの延伸片の第１突縁と、該カバー片の第２突縁とが取り囲む内径が、該ドライバ軸の工具端の外径より小さく、それぞれ該ドライバ軸のネック部分内に突出する、請求項８に記載のドライバ工具。
【考案の詳細な説明】
【技術分野】
【０００１】
本考案は、特に磁気部品のスライドスリーブをドライバ軸の工具端に位置制限することを確実に保証して、磁気部品がドライバ軸から離脱するのを防止することができ、さらにドライバ軸に磁気部品を容易に取り付け、取り外すことができるだけでなく、使用の利便性を高めることができるドライバ工具を提供することに関する。
【背景技術】
【０００２】
ドライバ工具を使用して固着具を取り付け、取り外すとき、該ドライバ工具の工具端を固着具頭部の挿入溝内に挿着するのみであるため、取付、取外しの過程において、固着具がドライバ工具の工具端から離脱して落ちることがよくある。ある業者のドライバ工具は、ドライバ工具の工具頭部に磁気部品を取り付けて、固着具を吸着し、固着具が落ちるのを防止することができる。
【０００３】
図１を参照されたい。図１は、既知の磁気構造を備えたドライバビットである。該ドライバビット１０に工具端１０１が設けられ、該ドライバビット１０の外環状面に環状溝１０２が設けられる。他に、該ドライバビット１０の工具端１０１にスライドスリーブ１１が取り付けられる。該スライドスリーブ１１の前端に磁気部品１２が設けられ、後端は該ドライバビット１０の環状溝１０２部分まで延伸し、Ｃ型リテーニングリング１１１で該ドライバビット１０の環状溝１０２に結合、位置制限される。固着具１３を取り付け、取り外すとき、該スライドスリーブ１１を前に動かすことができ、磁気部品１２を利用して固着具１３を吸着し、固着具１３が取付、取外し過程で落ちるのを防止する。他に、力を入れて固着具１３を前に引き抜くとき、該ドライバビット１０の環状溝１０２にスライドスリーブ１１を位置制限するＣ型リテーニングリング１１１を利用して、固着具１３が前に移動するのに伴って、スライドスリーブ１１および磁気部品１２がドライバビット１０から離脱するのを防止する。しかし、該スライドスリーブ１１は、Ｃ型リテーニングリング１１１を利用してドライバビット１０に結合、位置制限されており、固着具１３を引き抜くとき、スライドスリーブ１１および磁気部品１２がドライバビット１０から離脱するのを防止することができるが、該Ｃ型リテーニングリング１１１も取付および取外しが容易でないため、製造、組立における煩わしさが生じる。それだけでなく、ドライバビット１０の工具端１０１が損傷して使用することができないとき、該ドライバビット１０およびスライドスリーブ１１、磁気部品１２およびＣ型リテーニングリング１１１などの部品を合わせて廃棄する必要もあり、無意味な浪費となる。
【０００４】
図２、３を参照されたい。図２、３は、台湾公告第Ｉ２５４６６０号の「緩んで落ちるのを防止したドライバビットの付加型磁気スリーブ」の発明特許である。これは、ドライバビット軸２０にビット先端部２０１が設けられ、該ドライバビット軸２０の外周に環状溝型の係着溝２０２が設けられる。他に、プラスチック材質で磁気スリーブ２１を製造する。該磁気スリーブ２１の一端に磁性部品２２が設けられ、内部に、ドライバビット軸２０に嵌め込むための穿孔２１１が設けられる。該磁気スリーブ２１の穿孔２１１のもう一端に、該ドライバビット軸２０のビット先端部２０１と締り嵌め状態を呈する係着縁２１２が設けられる。該ドライバビット軸２０および磁気スリーブ２１を組み合わせるとき、該磁気スリーブ２１をドライバビット軸２０のビット先端部２０１に強く押し込む。該磁気スリーブ２１はプラスチック材質で製造されるため、ドライバビット軸２０のビット先端部２０１を利用して、磁気スリーブ２１の係着縁２１２を強制的に拡張することができる。該磁気スリーブ２１の係着縁２１２は、ドライバビット軸２０の係着溝２０２に到達すると、内側に収縮して元の内径状態を回復することができ、該磁気スリーブ２１の係着縁２１２を、ドライバビット軸２０の係着溝２０２内でスライドするように位置制限する。ネジ２３を取り付け、取り外すとき、磁気スリーブを前にスライドさせることができ、磁性部品２２を利用してネジ頭部２３を吸着し、ネジ２３が落ちるのを防止する。しかし、該磁気スリーブ２１は強く押し込む方式でドライバビット軸２０のビット先端部２０１に組み合わせており、磁気スリーブ２１の係着縁２１２を拡張させて、ドライバビット軸２０のビット先端部２０１を通過させる。相対して、力を入れて外側にネジ２３を引き抜くとき、該磁気スリーブ２１はネジ２３を引き抜く力により、同じように容易に引っ張られる。磁気スリーブ２１の係着縁２１２は、ドライバビット軸２０のビット先端部２０１により拡張し、ドライバビット軸２０のビット先端部２０１からスライドして離脱する。さらには磁気スリーブ２１を強く押し込むとき、磁気スリーブ２１の係着縁２１２が内側に収縮して元の内径状態を回復することができなくなることがあり、係着、位置制限の作用を失う。したがって、該ドライバビット軸２０の係着溝２０２と磁気スリーブ２１の係着縁２１２との間の停止、位置制限作用は明らかに不足し、磁気スリーブ２１をドライバビット軸２０のビット先端部２０１に確実に位置制限することができない。磁気スリーブ２１がドライバビット軸２０のビット先端部２０１からスライドして離脱する問題が起こりやすくなり、さらには使用上の困難が生じる。他に、磁気スリーブ２１の係着縁２１２の内径と、ドライバビット軸２０のビット先端部２０１の外径との差が大きくなると、磁気スリーブ２１の係着縁２１２をドライバビット軸２０のビット先端部２０１に押し込むのが難しくなることがある。たとえ、磁気スリーブ２１の係着縁２１２をドライバビット軸２０のビット先端部２０１に強制的に押し込むことができても、相対して、磁気スリーブ２１を取り外すのが難しくなる。ドライバビット軸２０のビット先端部２０１が損傷して使用できなくなると、該磁気スリーブ２１および磁性部品２２は損壊していなくても、ドライバビット軸２０と一緒に廃棄しなければならず、同様に無意味な浪費となる。
【０００５】
このことを考慮して、本考案者は、関連業界で開発および製造に長年従事した経験により、現在直面する問題について深く検討し、長期間、研究および試作を続け、最終的にドライバ工具を開発、作製し、これにより既知の欠点を改善している。これが、本考案の設計の主な目的である。
【先行技術文献】
【特許文献】
【０００６】
【特許文献１】台湾公告第Ｉ２５４６６０号
【考案の概要】
【考案が解決しようとする課題】
【０００７】
本考案の第１の目的は、ドライバ工具を提供することである。ドライバ軸に工具端が設けられ、該工具端の後端が延伸してネック部分が設けられる。磁気部品にスライドスリーブが設けられ、該スライドスリーブの内部に該ドライバ軸の工具端を通す貫通部分が設けられる。前端に磁気要素が固定設置され、後端に一側が開口の延伸片が突設される。他に、該延伸片に連結して、該延伸片の開口を覆って閉じるカバー片が設けられる。該延伸片および該カバー片の内環状面に、該ドライバ軸のネック部分に突出する少なくとも１つの突縁を有し、該突縁が該ドライバ軸のネック部分内でスライドを留める。これにより、磁気部品を利用して固着具を吸着し、固着具が取付、取外し過程でドライバ軸の工具端から離脱するのを防止し、使用の利便性を高める実用的な目的を達成する。
【０００８】
本発明の第２の目的は、ドライバ工具を提供することである。該磁気部品のスライドスリーブは、該延伸片および該カバー片の内環状面に、該ドライバ軸のネック部分に突出する少なくとも１つの突縁を有し、該突縁が該ドライバ軸のネック部分内でスライドを留める。磁気部品のスライドスリーブがドライバ軸の工具端の外部に位置制限され、前、後に往復して移動することを確実に保証することができ、さらには磁気部品がドライバ軸から離脱するのを確実に防止する実用的な目的を達成する。
【０００９】
本発明の第３の目的は、ドライバ工具を提供することである。該延伸片の開口をカバー片で覆って閉じており、ドライバ軸の工具端が損傷して使用することができないとき、カバー片を回転させて該延伸片の開口を開くことができ、これにより該スライドスリーブの位置制限を解除する。すなわち、容易に取り付け、取り外して交換することができ、損傷したドライバ軸と一緒に廃棄する必要はなく、無意味な浪費を防止し、さらには使用効果を高める実用的な目的を達成する。
【図面の簡単な説明】
【００１０】
【図１】図１は、既知のドライバビットの使用概要図である。
【図２】図２は、台湾公告第Ｉ２５４６６０号特許の分解概要図である。
【図３】図３は、台湾公告第Ｉ２５４６６０号特許の使用概要図である。
【図４】図４は、本考案の部品の分解概要図である。
【図５】図５は、本考案を組み合わせた外観概要図である。
【図６】図６は、本考案を組み合わせた断面概要図である。
【図７】図７は、図６のＡ−Ａ方向の断面概要図である。
【図８】図８は、本考案の使用概要図（１）である。
【図９】図９は、本考案の使用概要図（２）である。
【図１０】図１０は、本考案の使用概要図（３）である。
【図１１】図１１は、本考案の使用概要図（４）である。
【図１２】図１２は、本考案の使用概要図（５）である。
【図１３】図１３は、本考案のドライバ軸を取り外して交換する使用概要図（１）である。
【図１４】図１４は、本考案のドライバ軸を取り外して交換する使用概要図（２）である。
【考案を実施するための形態】
【００１１】
審査官が本考案についてさらに理解できるように、好ましい実施例を挙げ、さらに図を組み合わせて、以下のように詳細に記載する。
図４〜７を参照されたい。本考案のドライバ工具は、ドライバ軸３０および磁気部品４０を含む。該ドライバ軸３０の前端に様々な型の工具端３０１（例えばプラス工具端）が設けられ、該工具端３０１の後端が延伸して、外径が比較的小さいネック部分３０２が設けられる。該ネック部分３０２の前端に第１停止面３０３が設けられ、後端に第２停止面３０４が設けられる。他に、該ドライバ軸３０の後端に、駆動工具をスリーブ接続させる六角柱状のスリーブ接続部分３０５が設けられる。該磁気部品４０にプラスチックで製造、成型したスライドスリーブ４１が設けられ、該スライドスリーブ４１の内部に貫通部分４１１が設けられる。該貫通部分４１１の内径は、該ドライバ軸３０の工具端３０１の外径より大きく、該ドライバ軸３０の工具端３０１を該スライドスリーブ４１の貫通部分４１１に通すことができ、該スライドスリーブ４１は該ドライバ軸３０の工具端３０１の外部で、前、後に往復してスライドすることができる。他に、該スライドスリーブ４１の前端に、おおよそ環状の磁気要素４２を固定設置させる収容溝４１２が設けられる。該スライドスリーブ４１の後端に、一側が開口の延伸片４１３が突設され、該延伸片４１３に連結して、該延伸片４１３の開口を覆って閉じるカバー片４１４が設けられる。本実施例において、該延伸片４１３および該カバー片４１４はおおよそ半環状を呈し、該延伸片４１３および該カバー片４１４の１つの側縁は、一体に連結し、弾性的に折れ曲がることができる連結片４１５が設けられる。該連結片４１５を折り曲げて、該カバー片４１４を回転させ、該延伸片４１３の開口を覆って閉じることができる。他に、該延伸片４１３のもう１つの側縁に締結部４１３１を有する。該カバー片４１４のもう１つの側縁に結合部４１４１を有し、該延伸片４１３の締結部４１３１と相互に締結させると、該カバー片４１４は該延伸片４１３の開口を覆って閉じる。他に、該スライドスリーブ４１の延伸片４１３およびカバー片４１４の内環状面に、該ドライバ軸３０のネック部分３０２に突出する少なくとも１つの突縁を有し、該突縁を該ネック部分３０２の前、後端に位置する第１停止面３０３と第２停止面３０４との間に留め、該突縁のスライドを該ドライバ軸３０のネック部分３０２内に留める。本実施例において、該スライドスリーブ４１の延伸片４１３の内環状面に、少なくとも１つの第１突縁４１３２が突設され、他に、該カバー片４１４の内環状面に、該第１突縁４１３２と対応する第２突縁４１４２が突設される。該第１突縁４１３２および該第２突縁４１４２が取り囲む内径は、該ドライバ軸３０の工具端３０１の外径より小さく、それぞれ該ドライバ軸３０のネック部分３０２内に突出する。該ネック部分３０２の前、後端に位置する第１停止面３０３および第２停止面３０４により、該第１突縁４１３２および第２突縁４１４２を留めて位置制限し、該第１突縁４１３２および第２突縁４１４２のスライドは、該ドライバ軸３０のネック部分３０２に留まる。さらには、該磁気部品４０は該ドライバ軸３０の工具端３０１の外部に位置制限され、前、後に往復して移動することができる。
【００１２】
図８を参照されたい。本考案は、使用するとき、まず該ドライバ軸３０のスリーブ接続部分３０５に駆動工具Ａをスリーブ接続して、固着具を固定または緩める取付、取外し作業を実行する。図９を参照されたい。固着具５０を緩めることを例とすると、該ドライバ軸３０の工具端３０１を該固着具５０頭部のプラス溝５０１内に挿着し、該磁気部品４０のスライドスリーブ４１を前に移動させる。該スライドスリーブ４１の前端の磁気要素４２に固着具５０頭部を吸着させると、駆動工具Ａで該ドライバ軸３０を回転させて、該ドライバ軸３０の工具端３０１により固着具５０を緩めることができる。図１０を参照されたい。固着具５０が完全に外れると、磁気部品４０の磁気要素４２を利用して固着具５０を吸着する。固着具５０が離脱し、落ちるのを防止することができ、使用の利便性を高める効果を達成する。
【００１３】
図１１、図１２を参照されたい。該固着具５０を引き抜くとき、力を入れて固着具５０を前に引っ張る。該磁気部品４０のスライドスリーブ４１は、磁気要素４２の磁力により、固着具５０に伴って前に移動するが、該ドライバ軸３０のネック部分３０２の前端に位置する第１停止面３０３を利用して、該スライドスリーブ４１の延伸片４１３内の第１突縁４１３２と、該カバー片４１４内の第２突縁４１４２とを留めて、位置制限する。固着具５０を引き抜くとき、磁気部品４０のスライドスリーブ４１をドライバ軸３０の工具端３０１の外部に位置制限することを確実に保証することができ、さらには磁気部品４０がドライバ軸３０から離脱するのを確実に防止する実用的な目的を達成する。
【００１４】
図１３、１４を参照されたい。他に、本考案は、ドライバ軸３０の工具端３０１が損傷して使用することができないとき、ドライバ軸３０を取り外して交換することができる。該スライドスリーブ４１のカバー片４１４の結合部４１４１を、該延伸片４１３の締結部４１３１から外し、該カバー片４１４を回転させて該延伸片４１３の開口を開く。該スライドスリーブ４１の位置制限を解除することができ、さらには該損傷したドライバ軸３０を取り出して磁気部品４０から離脱させることができる。該磁気部品４０をその他のドライバ軸に取り付けることができ、容易に取り付け、取り外して交換することができる。損傷したドライバ軸３０と一緒に廃棄する必要はなく、無意味な浪費を防止し、使用の効果を高める実用的な目的を達成する。
【符号の説明】
【００１５】
既知部分
１０  ドライバビット
１０１  工具端
１０２  環状溝
１１  スライドスリーブ
１１１  Ｃ型のリテーニングリング
１２  磁気部品
１３  固着具
２０  ドライバビット軸
２０１  ビット先端部
２０２  係着溝
２１  磁気スリーブ
２１１  穿孔
２１２  係着縁
２２  磁性部品
２３  ネジ
本考案部分
３０  ドライバ軸
３０１  工具端
３０２  ネック部分
３０３  第１停止面
３０４  第２停止面
３０５  スリーブ接続部分
４０  磁気部品
４１  スライドスリーブ
４１１  貫通部分
４１２  収容溝
４１３  延伸片
４１３１  締結部
４１３２  第１突縁
４１４  カバー片
４１４１  結合部
４１４２  第２突縁
４１５  連結片
４２  磁気要素
５０  固着具
５０１  挿入溝
Ａ  駆動工具
【図１】
0003210412.tif 000003
【図２】
0003210412.tif 000004
【図３】
0003210412.tif 000005
【図４】
0003210412.tif 000006
【図５】
0003210412.tif 000007
【図６】
0003210412.tif 000008
【図７】
0003210412.tif 000009
【図８】
0003210412.tif 000010
【図９】
0003210412.tif 000011
【図１０】
0003210412.tif 000012
【図１１】
0003210412.tif 000013
【図１２】
0003210412.tif 000014
【図１３】
0003210412.tif 000015
【図１４】
0003210412.tif 000016